(57)【要約】【課題】吐水時の水の飛散を抑えるとともに、排水口カバー表面の残水を低減できる排水口カバーを提供する。【解決手段】手洗いボウル３の底面３１の排水口４とそれに内嵌される排水栓５およびそれら周辺部を上方から覆う略板状のカバー本体１の裏面に脚部２が形成されて手洗いボウル３の底面３１に設置される排水口カバーであって、カバー本体１の表面全体に凹凸１１が形成されていることとする。【選択図】図１
2008106550.tif 000002
【特許請求の範囲】
【請求項１】
手洗いボウルの底面の排水口とそれに内嵌される排水栓およびそれら周辺部を上方から覆う略板状のカバー本体の裏面に脚部が形成されて手洗いボウルの底面に設置される排水口カバーであって、カバー本体の表面全体に凹凸が形成されていることを特徴とする排水口カバー。
【請求項２】
カバー本体の表面全体に複数の凹溝が一方向に形成されて、凹凸が形成されていることを特徴とする請求項１に記載の排水口カバー。
【発明の詳細な説明】
【技術分野】
【０００１】
本発明は、排水口カバーに関するものである。
【背景技術】
【０００２】
手洗いボウルの底面の排水口にポップアップ式の排水栓が設けられた洗面化粧台の排水構造が知られている。この排水構造は、排水栓が上方にポップアップするため手洗いボウル内に排水栓の上下動を妨げるものを置くことができず、また排水栓の上下動が見えるため外観上の見栄えが悪かった。このため、排水栓の作動を妨げないように、排水口および排水栓とそれら周辺部を上方から覆うように排水カバーを設置することが提案されている。例えば、特許文献１では、手洗いボウルの底面に段落部が形成され、この段落部の底面に排水口が設けられた手洗いボウルにおいて、排水栓が上下動することができる空間を有する排水口カバーを段落部に設けている。
【特許文献１】特開平１１−１０７３４１号公報
【発明の開示】
【発明が解決しようとする課題】
【０００３】
しかしながら、上記の排水栓が上下動することができる空間を有する排水口カバーは、手洗いボウル内に物を置いた状態で排水できるとともに外観を向上させることができるが、別の問題が生じた。すなわち、洗面化粧台のカランから排水口カバーの方向に向かって吐水された水は、排水口カバー表面に接触した後、排水口カバー表面を滑って手洗いボウルの内壁面へと向かうが、このとき、カランからの吐水の勢いが強いと排水口カバー表面に接触した後も強い勢いのまま排水口カバー表面を滑り手洗いボウルの内壁面とぶつかって水が飛散してしまい、使用者に不快感を与えるという問題が生じた。また、止水時には排水口カバー表面に水が残ってしまい、外観上、見栄えが悪くしかも使用者に不快感を与えてしまうという問題もあった。
【０００４】
そこで、本発明は、以上の通りの事情に鑑みてなされたものであり、吐水時の水の飛散を抑えるとともに、排水口カバー表面の残水を低減できる排水口カバーを提供することを課題としている。
【課題を解決するための手段】
【０００５】
本発明の排水口カバーは、上記の課題を解決するために、以下のことを特徴としている。
【０００６】
第１に、手洗いボウルの底面の排水口とそれに内嵌される排水栓およびそれら周辺部を上方から覆う略板状のカバー本体の裏面に脚部が形成されて手洗いボウルの底面に設置される排水口カバーであって、カバー本体の表面全体に凹凸が形成されていることを特徴とする。
【０００７】
第２に、上記第１の排水口カバーにおいて、カバー本体の表面全体に複数の凹溝が一方向に形成されて、凹凸が形成されていることを特徴とする。
【発明の効果】
【０００８】
上記第１の発明によれば、カバー本体の表面全体に凹凸が形成されていることにより、カバー本体に接触した吐水はカバー本体表面の凸部にぶつかってその水の勢いが弱まる。したがって、カバー本体表面の流れが手洗いボウルの内壁面にぶつかっても水の勢いが弱まっているので水の飛散を防ぐことができる。また、止水時には、カバー本体表面の凹凸によって表面張力による水溜りが形成しにくくなっている。このため、カバー本体表面の残水を低減することができる。
【０００９】
上記第２の発明によれば、カバー本体の表面全体に複数の凹溝が一方向に形成されていることにより、カバー本体表面の水の流れが凹溝と凹溝との間の凸部にぶつかって、水の流れの勢いをより一層弱めることができる。また、止水時には、カバー本体表面の水が凹溝により排水口カバーの外へ流出するため、カバー本体表面の残水をより一層低減することができる。
【発明を実施するための最良の形態】
【００１０】
以下に、本発明の実施の形態について、図面を参照しながら説明する。
【００１１】
図１は、本発明の排水口カバーを洗面化粧台の手洗いボウルに設置した状態を示した斜視図である。図２は、本発明の排水口カバーの一実施形態を示した模式図であり、（ａ）は平面図、（ｂ）は断面図、（ｃ）は（ｂ）の要部拡大図である。図３は、図１中のＡ−Ａ断面図である。
【００１２】
本発明の排水口カバーは、平面視略矩形で略板状のカバー本体１と、そのカバー本体１の裏面の四隅に形成されている脚部２とから構成されている。
【００１３】
本発明はカバー本体１表面の全面にわたって凹凸１１が形成されていればよく、例えば、図１、図２（ａ）に示すように、複数の凹溝１２を一方向に形成してカバー本体１表面に凹凸１１を形成してもよい。複数の凹溝１２が形成されると、隣接する凹溝１２間に凸部１３が形成されることになり（図２（ｃ））、断面視でカバー本体１の表面は凹凸状となる（図２（ｂ）、図３）。凹溝１２の深さや幅、隣接する凹溝１２間の距離は、後述するように、カラン６からの吐水が凸部１３にぶつかってカバー本体１表面上の水流の勢いを弱めることができ、凹溝１２よりカバー本体１表面上の水を流すことができるように適宜に設定される。カバー本体１表面の凹凸１１は、上記のように凹溝１２によるものに限定されるものではなく、カバー本体１表面を粗面化して凹凸１１を形成してもよい。
【００１４】
本発明における脚部２は、カバー本体１の裏面から突出されており、その下端部を手洗いボウル３の底面３１に接触させることにより、カバー本体１と手洗いボウル３の底面３１との間に空間７を形成している。
【００１５】
手洗いボウル３の底面３１には手洗いボウル３内の水を排水管４１に排出する排水口４と、その排水口４に内嵌され手洗いボウル３内の水を貯める排水栓５が設けられている。これら排水口４と排水栓５およびそれら周辺部は、後述するように排水口カバーのカバー本体１で上方から覆われ、洗面化粧台の使用者からは見えないようになっている。
【００１６】
排水栓５は手洗いボウル３の外に設けられた操作レバーの操作により支持軸５１によって上下自在に作動し、最下位置において排水口４に内嵌される、いわゆるポップアップ式の排水栓５である。操作レバーの操作により支持軸５１を押し上げて排水栓５を上方にポップアップさせたときには、手洗いボウル３内の水はカバー本体１と手洗いボウル３の底面３１との間の空間７に流れ込み、排水口４から排水される。なお、排水栓５が最上位置に移動したときにカバー本体１と接触しないように脚部２の高さが調整されている。
【００１７】
本発明の排水口カバーは、図１に示すように、排水口４と排水栓５およびそれら周辺部を覆うように上方から手洗いボウル３の底面３１に設置される。このとき、カバー本体１の表面の凹溝１２がカラン６からの吐水と直交するように、例えば、カバー本体１の凹溝１２が手洗いボウル３の左右方向に向かうように排水口カバーを設置する。カラン６から排水口カバーに向けて吐水された水は、カバー本体１と接触した後その表面を使用者側に向かって流れ手洗いボウル３の内壁面３２にぶつかるが、本発明では、カバー本体１の表面に複数の凹溝１２が形成されていることにより、カバー本体１表面の流れが隣接する凹溝１２間の凸部１３にぶつかって勢いが弱まる。また、凸部１３にぶつかった水は凹溝１２に流れ込み、カバー本体１の左右方向に向かって排水口カバーの外に排出される。すなわち、カラン６からの吐水がカバー本体１に接触した後は、カバー本体１表面の凹溝１２によってカバー本体１表面の流れの勢いが弱まり水量も分散されることになる。このため、カバー本体１表面の流れが使用者側の手洗いボウル３の内壁面３２にぶつかっても、水が飛散することはない。さらに、止水時には、カバー本体１表面に形成された複数の凹溝１２により水が排水口カバーの外へ流出し、カバー本体１表面では水溜りが形成しにくくなっている。このため、カバー本体１表面の残水を防止することができる。
【００１８】
図４は、本発明の排水口カバーにおける脚部の一実施形態を説明するための分解斜視図である。
【００１９】
本発明における脚部２は、例えば、カバー本体１裏面の四隅に形成される螺合部２１と、その下端部に螺着され前記手洗いボウル３に設置される設置部２２とから構成されていてもよい。
【００２０】
この実施形態では、螺合部２１はインサートナット２１１でカバー本体１と一体とされており、設置部２２はインサートナット２１１に螺着されるように外周にネジ２２２が切られ、インサートナット２１１へのねじ込み側と反対側の一端にゴムや樹脂製の滑り止め部２２１を備えている。設置部２２の長さは螺合部２１にねじ込むねじ込み量によって調整することができ、カバー本体１裏面の四隅に形成された脚部２のそれぞれの長さを個別に調整することができる。したがって、この排水口カバーを前記手洗いボウル３の底面３１に設置するにあたっては、各脚部２における設置部２２の滑り止め部２２１が確実に前記手洗いボウル３の底面３１に接触するように設置部２２の長さをそれぞれ調整することができるので、ガタツキがなく安定して排水口カバーを前記手洗いボウル３の底面３１に設置することができる。また、滑り止め部２２１を備えているため、排水口カバーの設置状態はより安定し、カランから吐水したときの流水によってズレたり、ガタついて音が発生したりすることもない。さらに、排水口カバーの設置のために手洗いボウルの形状が制約されることはなく、幅広い製品に対して排水口カバーを設置することができる。
【００２１】
なお、本発明の排水口カバーにおいて、カバー本体の形状は、平面視略矩形に制限されない。平面視で円形、楕円形などの各種のものとすることができる。さらに、カバー本体の側面は、手洗いボウルの底部の形状に合わせることができ、手洗いボウルとの間に排水用の隙間が形成されるように、手洗いボウルの底部に向かって傾斜させるなどが可能である。
【００２２】
また、脚部については、排水口カバーを手洗いボウルの底面に安定して設置することができる限り、その本数や配置位置はカバー本体の形状に合わせて適宜に設定することができる。
【図面の簡単な説明】
【００２３】
【図１】本発明の排水口カバーを洗面化粧台の手洗いボウルに設置した状態を示した斜視図である。
【図２】本発明の排水口カバーの一実施形態を示した模式図であり、（ａ）は平面図、（ｂ）は断面図、（ｃ）は（ｂ）の要部拡大図である。
【図３】図１中のＡ−Ａ断面図である。
【図４】本発明の排水口カバーにおける脚部の一実施形態を説明するための分解斜視図である。
【符号の説明】
【００２４】
１  カバー本体
１１  凹凸
１２  凹溝
２  脚部
３  手洗いボウル
３１  底面
４  排水口
５  排水栓
【図１】
2008106550.tif 000003
【図２】
2008106550.tif 000004
【図３】
2008106550.tif 000005
【図４】
2008106550.tif 000006